(57)【要約】【課題】ハウジングにおける端子のはんだ付部を収容する収容溝の内側壁に凹部を形成することによって、簡素な構成でありながら、かつ、工程数を増加させることなく、ハウジングによる端子の保持力を効果的に増強することができ、微小寸法であっても、端子がハウジングから抜けることがないようにする。【解決手段】端子本体部、電線の端部がはんだ付されるはんだ付部、及び、相手方端子と接続される接続部を備える導電性の端子と、端子本体部の少なくとも一部を収容する端子収容孔、及び、はんだ付部の少なくとも一部を収容するはんだ付部収容溝を備えるハウジングとを有し、はんだ付部収容溝は、はんだ付部のはんだ付面の側端に沿って延在する内側壁、及び、内側壁に形成され、電線の端部をはんだ付するはんだの一部が進入可能な凹部を備える。【選択図】図１
2009266609.tif 000002
【特許請求の範囲】
【請求項１】
（ａ）端子本体部（６３、１６３）、電線（９１、１９１）の端部（９２、１９２）がはんだ付されるはんだ付部（６２、１６２）、及び、相手方端子と接続される接続部（６４、１６４）を備える導電性の端子（６１、１６１）と、
（ｂ）前記端子本体部（６３、１６３）の少なくとも一部を収容する端子収容孔（１３、１１３）、及び、前記はんだ付部（６２、１６２）の少なくとも一部を収容するはんだ付部収容溝（１５、１１５）を備えるハウジング（１１、１１１）とを有し、
（ｃ）前記はんだ付部収容溝（１５、１１５）は、前記はんだ付部（６２、１６２）のはんだ付面（６２ａ、１６２ａ）の側端に沿って延在する内側壁（１５ｂ、１１５ｂ）、及び、該内側壁（１５ｂ、１１５ｂ）に形成され、前記電線（９１、１９１）の端部（９２、１９２）をはんだ付するはんだの一部が進入可能な凹部（１５ｅ、１１５ｅ）を備えることを特徴とする電気コネクタ（１、１０１）。
【請求項２】
前記端子（６１、１６１）は、前記端子本体部（６３、１６３）及び／又ははんだ付部（６２、１６２）の側面に形成され、前記端子収容孔（１３、１１３）及び／又ははんだ付部収容溝（１５、１１５）の側壁に喰込み可能な掛止用凸部（６６、１６６）を備える請求項１に記載の電気コネクタ（１、１０１）。
【請求項３】
前記端子（６１、１６１）は、前記端子本体部（６３、１６３）から延出し、前記ハウジング（１１、１１１）に掛止可能な掛止片（６７、１６７）を備える請求項１又は２に記載の電気コネクタ（１、１０１）。
【請求項４】
前記ハウジング（１１、１１１）は、前記端子本体部（６３、１６３）に対応する位置に形成され、前記端子収容孔（１３、１１３）の上面からハウジング（１１、１１１）の上面に連通する上側開口（１７、１１７）及び前記端子収容孔（１３、１１３）の下面からハウジング（１１、１１１）の下面に連通する下側開口（１８、１１８）を備え、前記掛止片（６７、１６７）の自由端（６７ａ、１６７ａ）は、前記上側開口（１７、１１７）又は下側開口（１８、１１８）の端面に掛止される請求項３に記載の電気コネクタ（１、１０１）。
【請求項５】
前記接続部（６４、１６４）は、前記端子（６１、１６１）の中心軸に対してオフセットされている請求項１〜４のいずれか１項に記載の電気コネクタ（１、１０１）。
【発明の詳細な説明】
【技術分野】
【０００１】
本発明は、電気コネクタに関するものである。
【背景技術】
【０００２】
従来、電気ケーブルと電気ケーブルとを接続するための電気コネクタにおいては、端子の終端部に、電気ケーブルの電線における芯（しん）線の端部が、はんだ付によって接続されている（例えば、特許文献１参照。）。
【０００３】
図２１は従来の電気コネクタの端子の終端部を示す斜視図である。
【０００４】
図において、８０１は、図示されない導電ケーブルの終端に接続される従来の電気コネクタの本体部であり、図示されない相手方コネクタと嵌（かん）合する。前記本体部８０１は、合成樹脂等の絶縁性材料によって一体的に形成されたハウジング８１１と、金属等の導電性材料から成り、前記ハウジング８１１に装着された複数の端子８５１とを有する。該端子８５１は、相手方コネクタとの嵌合方向に延在し、かつ、隣接するもの同士が平行となるように並べられて、ハウジング８１１に装着される。
【０００５】
また、各端子８５１は、前記相手側コネクタが備える相手方端子と接触する接触部８５４と、前記導電ケーブルの芯線の端部がはんだ付によって接続されるはんだ付部８５２とを備える。該はんだ付部８５２は、ハウジング８１１の底板部８１２に形成された収容凹部８１３に収容される。なお、前記はんだ付部８５２の上面にははんだ溜め部８５６が形成されている。また、ハウジング８１１の底板部８１２には、はんだ溜め部８５６を下方から支持する突起８１４が形成されている。
【０００６】
そして、前記導電ケーブルの芯線の端部を端子８５１のはんだ付部８５２にはんだ付する場合には、前記芯線の端部をはんだ溜め部８５６の上に載置し、図示されないはんだ溶融用ヒータのヒータチップを上方から下降させて、該ヒータチップによって前記芯線の端部をはんだ溜め部８５６に押圧しながら加熱する。これにより、前記芯線の端部は、はんだ付部８５２にはんだ付される。
【特許文献１】特開２００６−８６０２８号公報
【発明の開示】
【発明が解決しようとする課題】
【０００７】
しかしながら、前記従来の電気コネクタにおいては、ハウジング８１１による端子８５１の保持力が必ずしも十分でなく、例えば、作業者が導電ケーブルを引張ったりすることによって、端子８５１に延在方向、すなわち、軸方向の力が加えられたときに、ハウジング８１１に対して端子８５１が軸方向にずれてしまうことがある。しかも、近年では、電子機器の小型化に伴って電子機器内に配設される電気コネクタの小型化も要求されており、隣接する端子８５１同士のピッチを、例えば、１〔ｍｍ〕程度の微細寸法に設定した場合、ハウジング８１１による端子８５１の保持力を増加させる機構を組込むことは困難である。
【０００８】
本発明は、前記従来の問題点を解決して、ハウジングにおける端子のはんだ付部を収容する収容溝の内側壁に凹部を形成し、電線の端部を接続するはんだの一部が前記凹部に進入してアンカーとして機能することによって、簡素な構成でありながら、かつ、工程数を増加させることなく、ハウジングによる端子の保持力を効果的に増強することができ、微小寸法であっても、端子がハウジングから抜けることがなく、信頼性の高い電気コネクタを提供することを目的とする。
【課題を解決するための手段】
【０００９】
そのために、本発明の電気コネクタにおいては、端子本体部、電線の端部がはんだ付されるはんだ付部、及び、相手方端子と接続される接続部を備える導電性の端子と、前記端子本体部の少なくとも一部を収容する端子収容孔（こう）、及び、前記はんだ付部の少なくとも一部を収容するはんだ付部収容溝を備えるハウジングとを有し、前記はんだ付部収容溝は、前記はんだ付部のはんだ付面の側端に沿って延在する内側壁、及び、該内側壁に形成され、前記電線の端部をはんだ付するはんだの一部が進入可能な凹部を備える。
【００１０】
本発明の他の電気コネクタにおいては、さらに、前記端子は、前記端子本体部及び／又ははんだ付部の側面に形成され、前記端子収容孔及び／又ははんだ付部収容溝の側壁に喰（くい）込み可能な掛止用凸部を備える。
【００１１】
本発明の更に他の電気コネクタにおいては、さらに、前記端子は、前記端子本体部から延出し、前記ハウジングに掛止可能な掛止片を備える。
【００１２】
本発明の更に他の電気コネクタにおいては、さらに、前記ハウジングは、前記端子本体部に対応する位置に形成され、前記端子収容孔の上面からハウジングの上面に連通する上側開口及び前記端子収容孔の下面からハウジングの下面に連通する下側開口を備え、前記掛止片の自由端は、前記上側開口又は下側開口の端面に掛止される。
【００１３】
本発明の更に他の電気コネクタにおいては、さらに、前記接続部は、前記端子の中心軸に対してオフセットされている。
【発明の効果】
【００１４】
本発明によれば、ハウジングにおける端子のはんだ付部を収容する収容溝の内側壁に凹部が形成されている。これにより、電線の端部を接続するはんだの一部が凹部に進入してアンカーとして機能するので、簡素な構成でありながら、かつ、工程数を増加させることなく、ハウジングによる端子の保持力を効果的に増強することができる。したがって、微小寸法であっても、端子がハウジングから抜けることがなく、信頼性を向上させることができる。
【発明を実施するための最良の形態】
【００１５】
以下、本発明の実施の形態について図面を参照しながら詳細に説明する。
【００１６】
図２は本発明の実施の形態におけるコネクタの斜視図であり第１コネクタ及び第２コネクタを嵌合する状態を示す図である。
【００１７】
図において、１は、本実施の形態における電気コネクタとしての第１コネクタであり、一方の電気ケーブルにおける電線９１の先端に接続されるケーブル用コネクタである。また、１０１は、本実施の形態における電気コネクタとしての第２コネクタであり、他方の電気ケーブルにおける電線１９１の先端に接続されるケーブル用コネクタである。そして、第１コネクタ１と第２コネクタ１０１とを嵌合することによって、両方の電気ケーブルの電線９１と電線１９１とが電気的に接続される。
【００１８】
なお、前記両方の電気ケーブルは、実質的に同一の構造を備えるものであり、電線９１及び電線１９１も実質的に同一の構造を備えるものである。また、前記電気ケーブルは、例えば、コンピュータ、携帯電話機、携帯音楽プレーヤ、ゲーム機、デジタルテレビ等の電子機器、電気機器等において電気信号を伝達するために使用されるものであるが、いかなる用途に使用されるものであってもよい。さらに、図に示される例において、各電気ケーブルが備える電線９１及び電線１９１の数は３本であるが、電線９１及び電線１９１の数は２本以下であってもよいし、４本以上であってもよい。なお、電線９１及び電線１９１の各々は、後述される導電性の芯金９２及び芯金１９２と、その周囲を被覆する絶縁性の被覆部材とを備える。
【００１９】
また、本実施の形態において、第１コネクタ１及び第２コネクタ１０１並びにその他の部材に含まれる各部の構成及び動作を説明するために使用される上、下、左、右、前、後等の方向を示す表現は、絶対的なものでなく相対的なものであり、第１コネクタ１及び第２コネクタ１０１並びにその他の部材に含まれる各部が図に示される姿勢である場合に適切であるが、第１コネクタ１及び第２コネクタ１０１並びにその他の部材に含まれる各部の姿勢が変化した場合には、姿勢の変化に応じて変更して解釈されるべきものである。
【００２０】
ここで、前記第１コネクタ１は、レセプタクルコネクタであって、合成樹脂等の絶縁性材料によって一体的に形成され、相手方コネクタとしての第２コネクタ１０１の相手方ハウジングとしての第２ハウジング１１１と嵌合するハウジングとしての第１ハウジング１１と、該第１ハウジング１１に装填（てん）され、前記電線９１がはんだ付された後述される金属製の端子としての第１端子６１とを有する。前記第１ハウジング１１は、ハウジング本体部としての第１本体部１２と、該第１本体部１２から前方（図２おける左下方）に延出し、前記第２コネクタ１０１と嵌合する嵌合部としての第１嵌合部２１とを備える。なお、該第１嵌合部２１の周囲には、第１係止突起２４ａ及び第２係止突起２４ｂが形成されている。前記第１係止突起２４ａ及び第２係止突起２４ｂを統合的に説明する場合には、係止突起２４として説明する。
【００２１】
また、前記第２コネクタ１０１は、プラグコネクタであって、合成樹脂等の絶縁性材料によって一体的に形成され、相手方コネクタとしての第１コネクタ１の相手方ハウジングとしての第１ハウジング１１と嵌合するハウジングとしての第２ハウジング１１１と、該第２ハウジング１１１に装填され、前記電線１９１がはんだ付された後述される金属製の端子としての第２端子１６１とを有する。前記第２ハウジング１１１は、ハウジング本体部としての第２本体部１１２と、該第２本体部１１２から前方（図２おける右上方）に延出し、前記第１コネクタ１と嵌合する嵌合部としての第２嵌合部１２１とを備える。なお、該第２嵌合部１２１の周囲には、前記第１係止突起２４ａ及び第２係止突起２４ｂと各々係合する第１係止凹部１２４ａ及び第２係止凹部１２４ｂが形成されている。前記第１係止凹部１２４ａ及び第２係止凹部１２４ｂを統合的に説明する場合には、係止凹部１２４として説明する。
【００２２】
次に、前記第１コネクタ１の構成について詳細に説明する。まず、第１ハウジング１１の構成について説明する。
【００２３】
図３は本発明の実施の形態における第１ハウジングの斜視図、図４は本発明の実施の形態における第１ハウジングの二面図、図５は本発明の実施の形態における第１ハウジングの断面図である。なお、図４において（ａ）は背面図、（ｂ）は上面図であり、図５において（ａ）は図４（ｂ）におけるＡ−Ａ矢視断面図、（ｂ）は図４（ａ）におけるＢ−Ｂ矢視断面図である。
【００２４】
第１ハウジング１１は、その内部を長手方向（図４（ｂ）及び図５における左右方向）に貫通する第１端子収容孔１３を複数本備える。なお、該第１端子収容孔１３の数は、図に示される例においては３本であるが、２本以下であってもよいし、４本以上であってもよい。前記第１端子収容孔１３は、例えば、１〔ｍｍ〕程度の微細なピッチで配列され、各々の内部には第１端子６１が１本ずつ装填される。
【００２５】
前記第１端子収容孔１３は、第１ハウジング１１の幅方向（図４（ｂ）及び図５（ｂ）における上下方向）に延在する長方形状の断面形状を備える扁（へん）平な孔（あな）であるが、第１嵌合部２１においては、その上面及び下面に各々形成された第１ハウジング１１の長手方向に延在する第２端子収容溝１３ａを備える。そのため、該第２端子収容溝１３ａが形成された部分では、第１端子収容孔１３の断面形状は、略十文字状となっている。また、前記第２端子収容溝１３ａは、第１コネクタ１と第２コネクタ１０１とが嵌合した際に、第２端子１６１が進入する部分であり、一端が第１ハウジング１１の前端面（図４（ｂ）及び図５における右端面）、すなわち、第１嵌合部２１の前端面に開口し、他端が第１嵌合部２１内で閉じている。なお、前記第２端子収容溝１３ａは、その中心軸が第１端子収容孔１３の中心軸から第１ハウジング１１の幅方向に（図５（ｂ）に示される例においては上寄りに）変位して位置するように形成されている。すなわち、第２端子収容溝１３ａは、第１端子収容孔１３の中心軸に対してオフセットされている。
【００２６】
また、第１本体部１２には、下端が各第１端子収容孔１３の上面に連通し、上端が第１本体部１２の上面に開口する上側開口としてのランス収容開口１７が形成されている。該ランス収容開口１７は、第１ハウジング１１の長手方向に延在する長方形状の断面形状を備えるスリット状の開口であり、各第１端子収容孔１３に１つずつ形成され、図に示される例においては、合計３つ形成されている。そして、各ランス収容開口１７内には、対応する第１端子収容孔１３内に装填された第１端子６１が備える後述されるランス部６７が収容される。また、前記ランス収容開口１７の後端面（図４（ｂ）及び図５における左端面）は、ランス掛止面１７ａとして機能し、ランス部６７の後述される自由端６７ａが掛止される。
【００２７】
さらに、第１本体部１２には、上端が各第１端子収容孔１３の下面に連通し、下端が第１本体部１２の下面に開口する下側開口としてのランス調整開口１８が形成されている。該ランス調整開口１８は、正方形又は長方形状の断面形状を備える開口であり、各第１端子収容孔１３に１つずつ形成され、図に示される例においては、合計３つ形成されている。なお、各ランス調整開口１８は、対応するランス収容開口１７の一部と対向する位置に形成される。オペレータは、細い棒状の部材を第１本体部１２の下面側から前記ランス調整開口１８内に挿入して前記ランス収容開口１７内に収容されたランス部６７を押上げることができ、これにより、該ランス部６７の傾斜角度を調整することができる。
【００２８】
なお、図に示される例においては、第１端子収容孔１３の上側にランス収容開口１７が形成され、下側にランス調整開口１８が形成されているが、第１端子収容孔１３の下側にランス収容開口１７を形成し、上側にランス調整開口１８を形成することもできる。換言すると、第１本体部１２の上側開口及び下側開口のいずれか一方がランス収容開口１７として機能し、残りの他方がランス調整開口１８として機能するようにすればよい。
【００２９】
第１ハウジング１１は、第１本体部１２の後端面から後方に延出する電線接続部１４を有する。なお、該電線接続部１４における第１本体部１２の後端面との境界部であって、第１ハウジング１１の幅方向両端部には、上下方向に延在する溝状の凹部１４ａが形成されている。
【００３０】
そして、電線接続部１４は、第１ハウジング１１の長手方向に延在する上面が開放された溝であって、第１端子６１の備える後述されるテール部６２が収容されるはんだ付部収容溝としての第１端子テール部収容溝１５を複数本備える。該第１端子テール部収容溝１５の数及びピッチは第１端子収容孔１３と同様であり、各第１端子テール部収容溝１５は、対応する第１端子収容孔１３の後端に連通するように形成されている。
【００３１】
前記第１端子テール部収容溝１５は、図４（ａ）に示されるように、第１ハウジング１１の幅方向に延在する長方形状の断面形状を備える扁平な溝本体部１５ａを備える。図５（ｂ）に示されるように、溝本体部１５ａの幅寸法は第１端子収容孔１３の幅寸法とほぼ同等であり、テール部６２は溝本体部１５ａ内に収容される。また、前記第１端子テール部収容溝１５は、その下面に形成され、第１ハウジング１１の長手方向に延在する補助溝１５ｃを備える。該補助溝１５ｃの幅寸法は、溝本体部１５ａの幅寸法及びテール部６２の幅寸法よりも短く、テール部６２は補助溝１５ｃ内には収容されない。
【００３２】
補助溝１５ｃは、本発明における後述の電線９１の代わりに、電線９１より太い電線を使用したい場合、電線をはんだ付けするテール部６２に凹部を設けることで、はんだ接着面の高さを下げ、電線の最上部からテール部６２の下面までの距離が大きくなった場合でも、本発明と同じ第１ハウジング１１を使用することができるようにするためのものである。
【００３３】
そして、前記溝本体部１５ａの下方における補助溝１５ｃの両側の部分は、テール部６２の幅方向両端を下から支持するテール下側支持壁１５ｄとして機能する。また、第１端子テール部収容溝１５における溝本体部１５ａの幅方向両端の上方部分は、前記テール下側支持壁１５ｄに対向して第１端子テール部収容溝１５の中心軸に向けて延出し、テール部６２の幅方向両端を上から支持するテール上側支持壁１５ｂとして機能する。
【００３４】
該テール上側支持壁１５ｂは、第１ハウジング１１の長手方向に延在するが、後述されるように、第１端子６１が第１ハウジング１１に装填された状態では、テール部６２の上面６２ａの側端に沿って延在する内側壁として機能する。そして、前記テール上側支持壁１５ｂの中間部分には、はんだが進入可能な凹部としてのアンカー凹部１５ｅが形成されている。該アンカー凹部１５ｅは、図５（ａ）に示されるように、テール上側支持壁１５ｂを上下方向に貫通するように形成され、図４（ｂ）に示されるように、第１端子テール部収容溝１５の中心軸に向けて開放する断面形状が矩（く）形の溝である。後述されるように、第１端子テール部収容溝１５に収容されたテール部６２の上面６２ａに電線９１の芯金９２をはんだ付によって接続すると、はんだの一部が前記アンカー凹部１５ｅに進入して、凸部を形成したはんだが第１ハウジング１１に対してのアンカーとして機能する。そのため、図４（ｂ）に示されるように、アンカー凹部１５ｅの側面が、第１ハウジング１１の長手方向に延在するテール上側支持壁１５ｂの側面に対してなす角度は、直角又は鋭角であることが、アンカーとしての機能を向上させる面からみて好ましい。
【００３５】
次に、第１端子６１の構成について説明する。
【００３６】
図６は本発明の実施の形態における第１端子の斜視図、図７は本発明の実施の形態における第１端子の二面図である。なお、図７において（ａ）は上面図、（ｂ）は（ａ）におけるＣ−Ｃ矢視断面図である。
【００３７】
第１端子６１は、好ましくは、金属板に打抜き加工、曲げ加工等の加工を施すことによって形成された導電性の板状部材であり、上面から観て、略音叉（さ）状又はフォーク状の形状を有する。そして、前記第１端子６１は、端子本体部としての略長方形状の本体部６３と、該本体部６３の前端から前方（図７における右方）へ延出する２本の腕部６４と、前記本体部６３の後端から後方（図７における左方）へ延出する略長方形状のはんだ付部としてのテール部６２と、前記本体部６３の途中から上斜め後方に向けて延出する掛止片としてのランス部６７とを有する。前記本体部６３は、少なくともその一部が第１端子収容孔１３に収容される。また、前記テール部６２は、少なくともその一部が第１端子テール部収容溝１５に収容され、はんだ付面としての上面６２ａに電線９１の端部としての芯金９２がはんだ付される。
【００３８】
前記腕部６４は、相手方端子としての第２端子１６１と接続される接続部として機能する部分であり、第１腕部６４ａ及び第２腕部６４ｂと、第１腕部６４ａの先端近傍に形成され、第２腕部６４ｂに向けて突出する第１接触部６５ａ、及び、第２腕部６４ｂの先端近傍に形成され、第１腕部６４ａに向けて突出する第２接触部６５ｂとを含む。前記第１接触部６５ａと第２接触部６５ｂとは互いに向い合って、かつ、離間して配設され、第１コネクタ１と第２コネクタ１０１とが嵌合した際に、第２端子１６１の後述される腕部１６４が第１接触部６５ａと第２接触部６５ｂとの間に進入する。そして、第１接触部６５ａ及び第２接触部６５ｂは、腕部１６４の両側面に各々接触する。
【００３９】
また、第２端子１６１の腕部１６４が第１接触部６５ａと第２接触部６５ｂとの間に進入する際に、第１腕部６４ａがほとんど変位しないのに対し、第２腕部６４ｂが弾性的に変位する。したがって、主として第２接触部６５ｂが弾性的に変位することによって第１接触部６５ａと第２接触部６５ｂとの間隔が拡張され、これにより、第２端子１６１の腕部１６４が第１接触部６５ａと第２接触部６５ｂとの間に挿入可能となる。また、第２腕部６４ｂが弾性的に変位することによって発揮するばね力により第２接触部６５ｂが第１接触部６５ａに向けて押付けられるので、第１接触部６５ａ及び第２接触部６５ｂは腕部１６４の両側面に押圧される。これにより、第１接触部６５ａ及び第２接触部６５ｂと、腕部１６４の両側面との接触が確実なものとなる。
【００４０】
なお、第１腕部６４ａ及び第１接触部６５ａと、第２腕部６４ｂ及び第２接触部６５ｂとは、第１端子６１の中心軸に対して非対称となるように形成されている。図に示される例においては、第１腕部６４ａ及び第１接触部６５ａから前記中心軸までの距離が第２腕部６４ｂ及び第２接触部６５ｂから前記中心軸までの距離よりも長くなっている。すなわち、第１腕部６４ａ及び第１接触部６５ａと、第２腕部６４ｂ及び第２接触部６５ｂとは、第１端子６１の中心軸に対してオフセットされている。
【００４１】
前記ランス部６７は、本体部６３から打抜かれ、かつ、曲げられて形成されている。そのため、本体部６３には、打抜き跡開口６８が形成される。該打抜き跡開口６８の形状は、ランス部６７の平面形状とほぼ同一である。また、前記ランス部６７は、その前端（図７（ｂ）における右端）が曲げ部６７ｂを介して本体部６３に接続され、その後端（図７（ｂ）における左端）は掛止端としての自由端６７ａになっている。そして、前記ランス部６７は、全体的に本体部６３の上方に位置し、かつ、後端になるほど高く上がるように、上斜め後方に傾斜している。また、前記ランス部６７の前後長は、第１端子６１の第１端子収容孔１３内への装填が完了したときに、前記ランス部６７全体がランス収容開口１７内に収まる程度の寸法であって、前記自由端６７ａがランス収容開口１７のランス掛止面１７ａに掛止される。そのため、第１端子６１の第１ハウジング１１後方への変位、すなわち、第１端子６１の第１ハウジング１１からの後方への抜けが防止される。
【００４２】
前記テール部６２及び／又は本体部６３の側面には、第１端子収容孔１３及び／又は第１端子テール部収容溝１５の側壁に喰込み可能な掛止用凸部としての第１アンカー部６６ａ、第２アンカー部６６ｂ及び第３アンカー部６６ｃが間隔を空けて形成されている。なお、前記第１アンカー部６６ａ、第２アンカー部６６ｂ及び第３アンカー部６６ｃを統合的に説明する場合には、アンカー部６６として説明する。第１端子６１を第１端子収容孔１３内に圧入すると、前記アンカー部６６が第１端子収容孔１３の側壁及び第１端子テール部収容溝１５における溝本体部１５ａの側壁に喰込み、これにより、第１端子６１が第１ハウジング１１に掛止される。そのため、第１端子６１の第１ハウジング１１の前後方向への変位、すなわち、第１端子６１の第１ハウジング１１からの抜けが防止される。
【００４３】
なお、第１端子６１は、第１ハウジング１１の後方から第１端子収容孔１３内に圧入される。そこで、圧入を容易にするために、アンカー部６６の前端縁は、図７（ａ）に示されるように、テール部６２及び本体部６３の側面に対して後方に倒れるように傾斜していることが望ましい。また、アンカー部６６の後端縁は、アンカーとしての機能を向上させて第１端子６１の後方への抜けを防止するため、図７（ａ）に示されるように、テール部６２及び本体部６３の側面に対して直交するか、又は、後方に倒れるように傾斜していることが望ましい。
【００４４】
図に示される例において、アンカー部６６は片側に３つずつ形成されているが、アンカー部６６の数及び配設する場所は適宜変更することができる。しかし、少なくとも片側１つずつは、第２アンカー部６６ｂのように、打抜き跡開口６８よりも若干後方に形成されることが望ましい。これは、本体部６３における打抜き跡開口６８が存在する部分は、中空となっているので剛性が低く、第１端子６１を第１端子収容孔１３内に圧入する際に、アンカー部６６の第１端子収容孔１３の側壁への喰込みが、他の部分よりも弱くなるからである。これに対し、第２アンカー部６６ｂが形成された部分は、略中実となっているので剛性が高く、第２アンカー部６６ｂの第１端子収容孔１３におけるアンカー機能は、他のアンカー部６６よりも強くなる。
【００４５】
次に、第１端子６１が装填された状態の第１コネクタ１の構成について説明する。
【００４６】
図８は本発明の実施の形態における第１コネクタの三面図、図９は本発明の実施の形態における第１コネクタの二面図、図１０は本発明の実施の形態における第１コネクタの断面図である。なお、図８において（ａ）は背面図、（ｂ）は上面図、（ｃ）は側面図であり、図９において（ａ）は正面図、（ｂ）は下面図であり、図１０において（ａ）は図８（ｃ）におけるＥ−Ｅ矢視断面図、（ｂ）は図８（ｂ）におけるＤ−Ｄ矢視断面図である。
【００４７】
第１端子６１は、第１ハウジング１１の後方から第１端子収容孔１３内に圧入されることによって装填される。なお、図に示される例においては、すべての第１端子収容孔１３内に第１端子６１が装填されているが、必ずしもすべての第１端子収容孔１３内に第１端子６１が装填される必要はなく、いくつかの第１端子収容孔１３は、第１端子６１が装填されずに空いていてもよい。
【００４８】
第１端子収容孔１３内への第１端子６１の装填が完了した状態では、第１端子６１の後端面、すなわち、テール部６２の後端面は、第１ハウジング１１の後端面、すなわち、電線接続部１４の後端面と面一となっている。また、図１０（ａ）に示されるように、各アンカー部６６は、第１端子収容孔１３の側壁及び第１端子テール部収容溝１５における溝本体部１５ａの側壁に喰込んでいる。さらに、図１０（ｂ）に示されるように、ランス部６７はランス収容開口１７内に収容され、ランス部６７の自由端６７ａはランス収容開口１７のランス掛止面１７ａに当接又は近接している。
【００４９】
したがって、第１コネクタ１と第２コネクタ１０１とを嵌合させる際やその他の状態において、第１端子６１を第１ハウジング１１に対して前後方向に変位させるような力が加えられた場合、前記第１端子収容孔１３の側壁及び第１端子テール部収容溝１５における溝本体部１５ａの側壁に喰込んでいるアンカー部６６が発揮するアンカーとしての機能と、ランス部６７の自由端６７ａがランス収容開口１７のランス掛止面１７ａに掛止されることによって発揮するアンカーとしての機能とにより、第１端子６１の第１ハウジング１１に対する前後方向への変位、すなわち、第１端子６１の第１ハウジング１１からの抜けが防止される。さらに、本実施の形態においては、はんだの一部が第１端子テール部収容溝１５におけるアンカー凹部１５ｅに進入して発揮するアンカーとしての機能によっても、第１端子６１の第１ハウジング１１からの抜けが防止される。
【００５０】
なお、ランス部６７の傾斜角度によっては、自由端６７ａがランス掛止面１７ａよりも下方又は上方に位置する場合があり得る。このような場合、ランス部６７の自由端６７ａがランス掛止面１７ａに掛止されなくなってしまう。そこで、オペレータは、細い棒状の部材を第１本体部１２の下面側からランス調整開口１８内に挿入してランス部６７を押上げたり、細い棒状の部材を第１本体部１２の上面側からランス収容開口１７内に挿入してランス部６７を押下げたりすることができる。これにより、該ランス部６７の傾斜角度を調整し、ひいては自由端６７ａの上下方向の位置を調整して、自由端６７ａがランス掛止面１７ａに確実に掛止されるようにすることができる。
【００５１】
また、第２端子収容溝１３ａは、その中心軸が第１端子収容孔１３の中心軸から第１ハウジング１１の幅方向に変位して形成され、かつ、第１腕部６４ａ及び第１接触部６５ａと、第２腕部６４ｂ及び第２接触部６５ｂとは、第１端子６１の中心軸に対して非対称となるように形成されているので、図１０（ａ）に示されるように、第１接触部６５ａと第２接触部６５ｂとの間は、第２端子収容溝１３ａに対応する位置となる。すなわち、第１端子収容孔１３の中心軸に対してオフセットされている第２端子収容溝１３ａに対応するように、第１腕部６４ａ及び第１接触部６５ａと、第２腕部６４ｂ及び第２接触部６５ｂとは、第１端子収容孔１３の中心軸に対してオフセットされている。したがって、第１コネクタ１と第２コネクタ１０１とが嵌合した際に、第２端子１６１の腕部１６４は、第２端子収容溝１３ａに進入し、かつ、第１接触部６５ａと第２接触部６５ｂとの間に進入する。
【００５２】
なお、第１腕部６４ａ及び第１接触部６５ａと、第２腕部６４ｂ及び第２接触部６５ｂとは、第１端子収容孔１３の中心軸に対してオフセットされているので、第２端子１６１の腕部１６４を経由して前記中心軸方向の外力が第１端子６１に付与された場合には、該第１端子６１に回転モーメントが作用する。そのため、アンカー部６６の第１端子収容孔１３の側壁への喰込みが強くなり、第１端子６１の第１ハウジング１１からの抜けがより確実に防止される。
【００５３】
さらに、第１腕部６４ａの外側は、対向する第１端子収容孔１３の側壁に当接又は近接しているのに対し、第２腕部６４ｂの外側は、対向する第１端子収容孔１３の側壁から大きく離間している。そのため、第２端子１６１の腕部１６４が第１接触部６５ａと第２接触部６５ｂとの間に進入する際に、第１腕部６４ａがほとんど変位することができないのに対し、第２腕部６４ｂは弾性的に大きく変位することができる。
【００５４】
また、図１０（ａ）に示されるように、テール部６２の両側は、第１端子テール部収容溝１５における溝本体部１５ａの側壁に当接している。そのため、テール部６２の上面６２ａに電線９１の芯金９２をはんだ付によって接続する際に、付与されたはんだがテール部６２の下面側に回込むことがない。はんだの量が少量であっても、はんだが芯金９２の周囲を十分に覆うとともに、アンカー凹部１５ｅに十分に進入するので、芯金９２のテール部６２へのはんだ付が確実に行われるとともに、アンカーとしての機能を確実に発揮することができる。
【００５５】
次に、芯金９２のテール部６２へのはんだ付について説明する。
【００５６】
図１は本発明の実施の形態における第１コネクタの斜視図、図１１は本発明の実施の形態における第１コネクタの上面図である。なお、図１において（ａ）ははんだ付前の状態を示す図、（ｂ）ははんだ付後の状態を示す図である。
【００５７】
図１（ａ）に示されるように、各電線９１は、終端部において、被覆部材が除去され、芯金９２が露出した状態となっている。なお、該芯金９２は金属線から成るものであってもよいし、複数本の金属線を束ねたものであってもよい。そして、各電線９１の端部において露出する芯金９２を対応する第１端子６１のテール部６２の上面６２ａ上に載置し、溶融したはんだを付与する。該溶融したはんだが、芯金９２の周囲及びテール部６２の上面６２ａを覆い、冷却されて固化すると、図１（ｂ）に示されるようなはんだ接合部９３が形成される。
【００５８】
該はんだ接合部９３は、芯金９２の周囲及びテール部６２の上面６２ａの大部分を覆うことによって芯金９２とテール部６２とを接続する。また、図１１に示されるように、はんだの一部は、第１端子テール部収容溝１５のアンカー凹部１５ｅに進入し、前記はんだ接合部９３と一体化したはんだ凸部９３ａとなり、アンカーとしての機能を発揮する。つまり、第１端子６１のテール部６２と接合しているはんだ接合部９３のはんだ凸部９３ａが第１端子テール部収容溝１５のアンカー凹部１５ｅに掛止された状態となっているので、第１端子６１は、第１端子テール部収容溝１５に掛止された状態となり、これにより、第１端子６１の第１ハウジング１１からの抜けが防止される。
【００５９】
また、はんだ接合部９３は芯金９２とも接合しているのであるから、該芯金９２も、はんだ凸部９３ａによって第１端子テール部収容溝１５に掛止された状態となっている。そのため、第１コネクタ１の後方に引くような外力が電線９１に付与された場合にも、前記はんだ凸部９３ａの発揮するアンカーとしての機能によって、芯金９２の第１ハウジング１１からの抜けが防止される。したがって、電線９１の第１コネクタ１への接続がより強固なものとなる。
【００６０】
なお、はんだ付の際に溶融したはんだを付与する場合について説明したが、溶融したはんだの付与に代えて、事前にテール部６２の上面６２ａ及び／又は芯金９２の周囲にはんだを被覆しておき、芯金９２をテール部６２の上面６２ａ上に載置した後にはんだを加熱して溶融させるようにしてもよい。さらに、他のいかなる方法によってはんだを供給してもよい。つまり、はんだ凸部９３ａを含むはんだ接合部９３を形成して芯金９２をテール部６２の上面６２ａにはんだ付をすることができるのであれば、いかなる方法によってはんだ付を行ってもよい。
【００６１】
次に、前記第２コネクタ１０１の構成について詳細に説明する。まず、第２ハウジング１１１の構成について説明する。
【００６２】
図１２は本発明の実施の形態における第２ハウジングの二面図、図１３は本発明の実施の形態における第２ハウジングの断面図である。なお、図１２において（ａ）は背面図、（ｂ）は上面図であり、図１３において（ａ）は図１２（ｂ）におけるＦ−Ｆ矢視断面図、（ｂ）は図１２（ａ）におけるＧ−Ｇ矢視断面図である。
【００６３】
第２ハウジング１１１は、その内部を長手方向（図１２（ｂ）及び図１３における左右方向）に貫通する第２端子収容孔１１３を複数本備える。なお、該第２端子収容孔１１３の数は、前記第１端子収容孔１３と同様に、図に示される例においては３本であるが、２本以下であってもよいし、４本以上であってもよい。前記第２端子収容孔１１３は、前記第１端子収容孔１３と同様に、例えば、１〔ｍｍ〕程度の微細なピッチで配列され、各々の内部には第２端子１６１が１本ずつ装填される。
【００６４】
前記第２端子収容孔１１３は、第２ハウジング１１１の幅方向（図１２（ｂ）及び図１３（ｂ）における上下方向）に延在する長方形状の断面形状を備える扁平な孔である。
【００６５】
第２本体部１１２から前方（図１２（ｂ）及び図１３における右方）に延出する第２嵌合部１２１は、下面（図１３（ａ）における下側面）及び前面（図１３（ａ）における右側面）が開放された空洞状の第１嵌合部収容部１２１ａを備え、第２端子収容孔１１３を含んでいない。そして、第１コネクタ１と第２コネクタ１０１とが嵌合した際に、第１コネクタ１の第１嵌合部２１が前記第１嵌合部収容部１２１ａ内に進入して収容される。
【００６６】
また、第２本体部１１２には、下端が各第２端子収容孔１１３の上面に連通し、上端が第２本体部１１２の上面に開口する上側開口としてのランス収容開口１１７が形成されている。該ランス収容開口１１７は、第２ハウジング１１１の長手方向に延在する長方形状の断面形状を備えるスリット状の開口であり、各第２端子収容孔１１３に１つずつ形成され、図に示される例においては、合計３つ形成されている。そして、各ランス収容開口１１７内には、対応する第２端子収容孔１１３内に装填された第２端子１６１が備える後述されるランス部１６７が収容される。また、前記ランス収容開口１１７の後端面（図１２（ｂ）及び図１３における左端面）は、ランス掛止面１１７ａとして機能し、ランス部１６７の後述される自由端１６７ａが掛止される。
【００６７】
さらに、第２本体部１１２には、上端が各第２端子収容孔１１３の下面に連通し、下端が第２本体部１１２の下面に開口する下側開口としてのランス調整開口１１８が形成されている。該ランス調整開口１１８は、正方形又は長方形状の断面形状を備える開口であり、各第２端子収容孔１１３に１つずつ形成され、図に示される例においては、合計３つ形成されている。なお、各ランス調整開口１１８は、対応するランス収容開口１１７の一部と対向する位置に形成される。オペレータは、細い棒状の部材を第２本体部１１２の下面側から前記ランス調整開口１１８内に挿入して前記ランス収容開口１１７内に収容されたランス部１６７を押上げることができ、これにより、該ランス部１６７の傾斜角度を調整することができる。
【００６８】
なお、図に示される例においては、第２端子収容孔１１３の上側にランス収容開口１１７が形成され、下側にランス調整開口１１８が形成されているが、第２端子収容孔１１３の下側にランス収容開口１１７を形成し、上側にランス調整開口１１８を形成することもできる。換言すると、第２本体部１１２の上側開口及び下側開口のいずれか一方がランス収容開口１１７として機能し、残りの他方がランス調整開口１１８として機能するようにすればよい。
【００６９】
第２ハウジング１１１は、第２本体部１１２の後端面から後方に延出する電線接続部１１４を有する。なお、該電線接続部１１４における第２本体部１１２の後端面との境界部であって、第２ハウジング１１１の幅方向両端部には、上下方向に延在する溝状の凹部１１４ａが形成されている。
【００７０】
そして、電線接続部１１４は、第２ハウジング１１１の長手方向に延在する上面が開放された溝であって、第２端子１６１の備える後述されるテール部１６２が収容されるはんだ付部収容溝としての第２端子テール部収容溝１１５を複数本備える。該第２端子テール部収容溝１１５の数及びピッチは第２端子収容孔１１３と同様であり、各第２端子テール部収容溝１１５は、対応する第２端子収容孔１１３の後端に連通するように形成されている。
【００７１】
前記第２端子テール部収容溝１１５は、図１２（ａ）に示されるように、第２ハウジング１１１の幅方向に延在する長方形状の断面形状を備える扁平な溝本体部１１５ａを備える。図１３（ｂ）に示されるように、溝本体部１１５ａの幅寸法は第２端子収容孔１１３の幅寸法とほぼ同等であり、テール部１６２は溝本体部１１５ａ内に収容される。また、前記第２端子テール部収容溝１１５は、その下面に形成され、第２ハウジング１１１の長手方向に延在する補助溝１１５ｃを備える。該補助溝１１５ｃの幅寸法は、溝本体部１１５ａの幅寸法及びテール部１６２の幅寸法よりも短く、テール部１６２は補助溝１１５ｃ内には収容されない。
【００７２】
前述の補助溝１１５ｃは、本発明における後述の電線１９１の代わりに、電線１９１より太い電線を使用したい場合、電線をはんだ付けするテール部１６２に凹部を設けることで、はんだ接着面の高さを下げ、電線の最上部からテール部１６２の下面までの距離が大きくなった場合でも、本発明と同じ第２ハウジング１１１を使用することができるようにするためのものである。
【００７３】
そして、前記溝本体部１１５ａの下方における補助溝１１５ｃの両側の部分は、テール部１６２の幅方向両端を下から支持するテール下側支持壁１１５ｄとして機能する。また、第２端子テール部収容溝１１５における溝本体部１１５ａの幅方向両端の上方部分は、前記テール下側支持壁１１５ｄに対向して第１端子接続部収容溝１１５の中心軸に向けて延出し、テール部１６２の幅方向両端を上から支持するテール上側支持壁１１５ｂとして機能する。
【００７４】
該テール上側支持壁１１５ｂは、第２ハウジング１１１の長手方向に延在するが、後述されるように、第２端子１６１が第２ハウジング１１１に装填された状態では、テール部１６２の上面１６２ａの側端に沿って延在する内側壁として機能する。そして、前記第２ハウジング１１１の中間部分には、はんだが進入可能な凹部としてのアンカー凹部１１５ｅが形成されている。該アンカー凹部１１５ｅは、図１３（ａ）に示されるように、テール上側支持壁１１５ｂを上下方向に貫通するように形成され、図１２（ｂ）に示されるように、第２端子テール部収容溝１１５の中心軸に向けて開放する断面形状が矩形の溝である。第２端子テール部収容溝１１５に収容されたテール部１６２の上面１６２ａに電線１９１の芯金１９２をはんだ付によって接続すると、はんだの一部が前記アンカー凹部１１５ｅに進入してアンカーとして機能する。そのため、図１２（ｂ）に示されるように、アンカー凹部１１５ｅの側面が、第２ハウジング１１１の長手方向に延在するテール上側支持壁１１５ｂの側面に対してなす角度は、直角又は鋭角であることが、アンカーとしての機能を向上させる面からみて好ましい。
【００７５】
次に、第２端子１６１の構成について説明する。
【００７６】
図１４は本発明の実施の形態における第２端子の斜視図、図１５は本発明の実施の形態における第１端子の二面図である。なお、図１５において（ａ）は上面図、（ｂ）は（ａ）におけるＨ−Ｈ矢視断面図である。
【００７７】
第２端子１６１は、好ましくは、金属板に打抜き加工、曲げ加工等の加工を施すことによって形成された導電性の板状部材であり、上面から観て、略羽子板状又はスコップ状の形状を有する。そして、前記第２端子１６１は、略長方形状の本体部１６３と、該本体部１６３の前端から前方（図１５における右方）へ延出する１本の腕部１６４と、前記本体部１６３の後端から後方（図１５における左方）へ延出する略長方形状のはんだ付部としてのテール部１６２と、前記本体部１６３の途中から上斜め後方に向けて延出する掛止片としてのランス部１６７とを有する。前記本体部１６３は、少なくともその一部が第２端子収容孔１１３に収容される。また、前記テール部１６２は、少なくともその一部が第２端子テール部収容溝１１５に収容され、はんだ付面としての上面１６２ａに電線１９１の端部としての芯金１９２がはんだ付される。
【００７８】
前記腕部１６４は、第１端子６１と接続される接続部として機能する部分であり、細長い棒状の部材である。そして、第１コネクタ１と第２コネクタ１０１とが嵌合した際に、前記腕部１６４は、第１端子６１の第１接触部６５ａと第２接触部６５ｂとの間に進入し、第１接触部６５ａ及び第２接触部６５ｂが第２接触部６５ｂの両側面に各々接触する。なお、前記腕部１６４の上下方向の寸法、すなわち、厚さは、第１端子６１の第１接触部６５ａ及び第２接触部６５ｂの厚さよりも大きいことが望ましい。これにより、前記第１接触部６５ａ及び第２接触部６５ｂは、腕部１６４の両側面と確実に接触することができる。
【００７９】
また、前記腕部１６４は、第２端子１６１の中心軸に対して非対称となるように形成されている。すなわち、前記腕部１６４は第２端子１６１の中心軸に対しオフセットされ、前記腕部１６４の中心軸は第２端子１６１の中心軸からずれている。なお、前記腕部１６４の第２端子１６１の中心軸に対するオフセット量は、第１腕部６４ａ及び第１接触部６５ａと第２腕部６４ｂ及び第２接触部６５ｂとの第１端子６１の中心軸に対するオフセット量と同程度に設定されている。
【００８０】
前記ランス部１６７は、第１端子６１のランス部６７と同様に、本体部１６３から打抜かれ、かつ、曲げられて形成されている。そのため、本体部１６３には、打抜き跡開口１６８が形成される。該打抜き跡開口１６８の形状は、ランス部１６７の平面形状とほぼ同一である。また、前記ランス部１６７は、その前端（図１５（ｂ）における右端）が曲げ部１６７ｂを介して本体部１６３に接続され、その後端（図１５（ｂ）における左端）は掛止端としての自由端１６７ａになっている。そして、前記ランス部１６７は、全体的に本体部１６３の上方に位置し、かつ、後端になるほど高く上がるように、上斜め後方に傾斜している。また、前記ランス部１６７の前後長は、第２端子１６１の第２端子収容孔１１３内への装填が完了したときに、前記ランス部１６７全体がランス収容開口１１７内に収まる程度の寸法であって、前記自由端１６７ａがランス収容開口１１７のランス掛止面１１７ａに掛止される。そのため、第２端子１６１の第２ハウジング１１１後方への変位、すなわち、第２端子１６１の第２ハウジング１１１からの後方への抜けが防止される。
【００８１】
前記テール部１６２及び／又は本体部１６３の側面には、第２端子収容孔１１３及び／又は第２端子テール部収容溝１１５の側壁に喰込み可能な掛止用凸部としての第１アンカー部１６６ａ、第２アンカー部１６６ｂ及び第３アンカー部１６６ｃが間隔を空けて形成されている。なお、前記第１アンカー部１６６ａ、第２アンカー部１６６ｂ及び第３アンカー部１６６ｃを統合的に説明する場合には、アンカー部１６６として説明する。第２端子１６１を第２端子収容孔１１３内に圧入すると、前記アンカー部１６６が第２端子収容孔１１３の側壁及び第２端子テール部収容溝１１５における溝本体部１１５ａの側壁に喰込み、これにより、第２端子１６１が第２ハウジング１１１に掛止される。そのため、第２端子１６１の第２ハウジング１１１の前後方向への変位、すなわち、第２端子１６１の第２ハウジング１１１からの抜けが防止される。
【００８２】
なお、第２端子１６１は、第２ハウジング１１１の後方から第２端子収容孔１１３内に圧入される。そこで、圧入を容易にするために、アンカー部１６６の前端縁は、図１５（ａ）に示されるように、テール部１６２及び本体部１６３の側面に対して後方に倒れるように傾斜していることが望ましい。また、アンカー部１６６の後端縁は、アンカーとしての機能を向上させて第２端子１６１の後方への抜けを防止するため、図１５（ａ）に示されるように、テール部１６２及び本体部１６３の側面に対して直交するか、又は、後方に倒れるように傾斜していることが望ましい。
【００８３】
図に示される例において、アンカー部１６６は片側に３つずつ形成されているが、アンカー部１６６の数及び配設する場所は適宜変更することができる。また、前記第１端子６１のアンカー部６６の場合と同様に、少なくとも片側１つずつは、第１アンカー部１６６ａのように、打抜き跡開口１６８よりも後方、すなわち、テール部１６２に形成されることが望ましい。第１アンカー部１６６ａが形成されたテール部１６２は、中実となっているので剛性が高く、第２アンカー部１６６ｂの第２端子収容孔１１３における側壁に対してのアンカー機能は、他のアンカー部１６６よりも強くなる。
【００８４】
次に、第２端子１６１が装填された状態の第２コネクタ１０１の構成について説明する。
【００８５】
図１６は本発明の実施の形態における第２コネクタの三面図、図１７は本発明の実施の形態における第２コネクタの二面図、図１８は本発明の実施の形態における第２コネクタの断面図である。なお、図１６において（ａ）は背面図、（ｂ）は上面図、（ｃ）は側面図であり、図１７において（ａ）は正面図、（ｂ）は下面図であり、図１８において（ａ）は図１６（ｃ）におけるＪ−Ｊ矢視断面図、（ｂ）は図１６（ｂ）におけるＩ−Ｉ矢視断面図である。
【００８６】
第２端子１６１は、第２ハウジング１１１の後方から第２端子収容孔１１３内に圧入されることによって装填される。なお、図に示される例においては、すべての第２端子収容孔１１３内に第２端子１６１が装填されているが、必ずしもすべての第２端子収容孔１１３内に第２端子１６１が装填される必要はなく、いくつかの第２端子収容孔１１３は、第２端子１６１が装填されずに空いていてもよい。
【００８７】
第２端子収容孔１１３内への第２端子１６１の装填が完了した状態では、第２端子１６１の後端面、すなわち、テール部１６２の後端面は、第２ハウジング１１１の後端面、すなわち、電線接続部１１４の後端面と面一となっている。また、図１８（ａ）に示されるように、各アンカー部１６６は、第２端子収容孔１１３の側壁及び第２端子テール部収容溝１１５における溝本体部１１５ａの側壁に喰込んでいる。さらに、図１８（ｂ）に示されるように、ランス部１６７はランス収容開口１１７内に収容され、ランス部１６７の自由端１６７ａはランス収容開口１１７のランス掛止面１１７ａに当接又は近接している。
【００８８】
したがって、第１コネクタ１と第２コネクタ１０１とを嵌合させる際やその他の状態において、第２端子１６１を第２ハウジング１１１に対して前後方向に変位させるような力が加えられた場合、前記第２端子収容孔１１３の側壁及び第２端子テール部収容溝１１５における溝本体部１１５ａの側壁に喰込んでいるアンカー部１６６が発揮するアンカーとしての機能と、ランス部１６７の自由端１６７ａがランス収容開口１１７のランス掛止面１１７ａに掛止されることによって発揮するアンカーとしての機能とにより、第２端子１６１の第２ハウジング１１に対する前後方向への変位、すなわち、第２端子１６１の第２ハウジング１１１からの抜けが防止される。さらに、本実施の形態においては、はんだの一部が第２端子テール部収容溝１１５におけるアンカー凹部１１５ｅに進入して発揮するアンカーとしての機能によっても、第２端子１６１の第２ハウジング１１１からの抜けが防止される。
【００８９】
なお、ランス部１６７の傾斜角度によっては、自由端１６７ａがランス掛止面１７ａよりも下方又は上方に位置する場合があり得る。このような場合、ランス部１６７の自由端１６７ａがランス掛止面１１７ａに掛止されなくなってしまう。そこで、オペレータは、細い棒状の部材を第２本体部１１２の下面側からランス調整開口１１８内に挿入してランス部１６７を押上げたり、細い棒状の部材を第２本体部１１２の上面側からランス収容開口１１７内に挿入してランス部１６７を押下げたりすることができる。これにより、該ランス部１６７の傾斜角度を調整し、ひいては自由端１６７ａの上下方向の位置を調整して、自由端１６７ａがランス掛止面１１７ａに確実に掛止されるようにすることができる。
【００９０】
また、前述のように、第１コネクタ１においては、第２端子収容溝１３ａが第１端子収容孔１３の中心軸に対してオフセットされ、かつ、それに対応するように、第１腕部６４ａ及び第１接触部６５ａと、第２腕部６４ｂ及び第２接触部６５ｂとは、第１端子収容孔１３の中心軸に対してオフセットされているので、第２端子１６１の中心軸に対しオフセットされている腕部１６４は、第２端子収容溝１３ａに進入し、かつ、第１接触部６５ａと第２接触部６５ｂとの間に進入することができる。なお、第２端子１６１の腕部１６４は、その上下方向の寸法が第１端子６１の腕部６４の上下方向の寸法より大きいが、第２端子収容溝１３ａが第１端子収容孔１３より上下方向に突出しているので、第２端子収容溝１３ａ内に収容され得る。
【００９１】
さらに、腕部１６４は第２端子１６１の中心軸に対しオフセットされているので、第１端子６１の腕部６４を経由して前記中心軸方向の外力が第２端子１６１に付与された場合には、該第２端子１６１に回転モーメントが作用する。そのため、アンカー部１６６の第２端子収容孔１１３の側壁への喰込みが強くなり、第２端子１６１の第２ハウジング１１１からの抜けがより確実に防止される。
【００９２】
また、図１８（ａ）に示されるように、テール部１６２の両側は、第２端子テール部収容溝１１５における溝本体部１１５ａの側壁に当接している。そのため、テール部１６２の上面１６２ａに電線１９１の芯金１９２をはんだ付によって接続する際に、付与されたはんだがテール部１６２の下面側に回込むことがない。はんだの量が少量であっても、はんだが芯金１９２の周囲を十分に覆うとともに、アンカー凹部１１５ｅに十分に進入するので、芯金１９２のテール部１６２へのはんだ付が確実に行われるとともに、アンカーとしての機能を確実に発揮することができる。
【００９３】
次に、芯金１９２のテール部１６２へのはんだ付について説明する。
【００９４】
図１９は本発明の実施の形態における第２コネクタの斜視図、図２０は本発明の実施の形態における第２コネクタの上面図である。なお、図１９において（ａ）ははんだ付前の状態を示す図、（ｂ）ははんだ付後の状態を示す図である。
【００９５】
図１９（ａ）に示されるように、各電線１９１は、電線９１と同様に、終端部において、被覆部材が除去され、芯金１９２が露出した状態となっている。そして、各電線１９１の端部において露出する芯金１９２を対応する第２端子１６１のテール部１６２の上面１６２ａ上に載置し、はんだ付を行う。該はんだ付の方法は、第１コネクタ１の場合と同様であるので、説明を省略する。そして、はんだが冷却されて固化すると、図１９（ｂ）に示されるようなはんだ接合部１９３が形成される。
【００９６】
該はんだ接合部１９３は、芯金１９２の周囲及びテール部１６２の上面１６２ａの大部分を覆うことによって芯金１９２とテール部１６２とを接続する。また、図２０に示されるように、はんだの一部は、第２端子テール部収容溝１１５のアンカー凹部１１５ｅに進入し、前記はんだ接合部１９３と一体化したはんだ凸部１９３ａとなり、アンカーとしての機能を発揮する。つまり、第２端子１６１のテール部１６２と接合しているはんだ接合部１９３のはんだ凸部１９３ａが第２端子テール部収容溝１１５のアンカー凹部１１５ｅに掛止された状態となっているので、第２端子１６１は、第２端子テール部収容溝１１５に掛止された状態となり、これにより、第２端子１６１の第２ハウジング１１１からの抜けが防止される。
【００９７】
また、はんだ接合部１９３は芯金１９２とも接合しているのであるから、該芯金１９２も、はんだ凸部１９３ａによって第２端子テール部収容溝１１５に掛止された状態となっている。そのため、第２コネクタ１０１の後方に引くような外力が電線１９１に付与された場合にも、前記はんだ凸部１９３ａの発揮するアンカーとしての機能によって、芯金１９２の第２ハウジング１１１からの抜けが防止される。したがって、電線１９１の第２コネクタ１０１への接続がより強固なものとなる。
【００９８】
このように、本実施の形態において、第１コネクタ１は、本体部６３、電線９１の芯金９２がはんだ付されるテール部６２、及び、第２端子１６１と接続される腕部６４を備える導電性の第１端子６１と、本体部６３の少なくとも一部を収容する第１端子収容孔１３、及び、テール部６２の少なくとも一部を収容する第１端子テール部収容溝１５を備える第１ハウジング１１とを有し、第１端子テール部収容溝１５は、テール部６２の上面６２ａの側端に沿って延在するテール上側支持壁１５ｂ、及び、テール上側支持壁１５ｂに形成され、芯金９２をはんだ付するはんだの一部が進入可能なアンカー凹部１５ｅを備える。
【００９９】
また、第２コネクタ１０１は、本体部１６３、電線１９１の芯金１９２がはんだ付されるテール部１６２、及び、第１端子６１と接続される腕部１６４を備える導電性の第２端子１６１と、本体部１６３の少なくとも一部を収容する第２端子収容孔１１３、及び、テール部１６２の少なくとも一部を収容する第２端子テール部収容溝１１５を備える第２ハウジング１１１とを有し、第２端子テール部収容溝１１５は、テール部１６２の上面１６２ａの側端に沿って延在するテール上側支持壁１１５ｂ、及び、テール上側支持壁１１５ｂに形成され、芯金１９２をはんだ付するはんだの一部が進入可能なアンカー凹部１１５ｅを備える。
【０１００】
これにより、芯金９２及び１９２を接続するはんだの一部がアンカー凹部１５ｅ及び１１５ｅに進入してアンカーとして機能するので、簡素な構成でありながら、かつ、工程数を増加させることなく、第１ハウジング１１及び第２ハウジング１１１による第１端子６１及び第２端子１６１の保持力を効果的に増強することができる。したがって、微小寸法であっても、第１端子６１及び第２端子１６１の第１ハウジング１１及び第２ハウジング１１１からの抜けを防止することができる。
【０１０１】
さらに、第１端子６１は、本体部６３及び／又はテール部６２の側面に形成され、第１端子収容孔１３及び／又は第１端子テール部収容溝１５の側壁に喰込み可能なアンカー部６６を備える。また、第２端子１６１は、本体部１６３及び／又はテール部１６２の側面に形成され、第２端子収容孔１１３及び／又は第２端子テール部収容溝１１５の側壁に喰込み可能なアンカー部１６６を備える。
【０１０２】
これにより、第１端子６１及び第２端子１６１が第１ハウジング１１及び第２ハウジング１１１に掛止されるので、第１端子６１及び第２端子１６１の第１ハウジング１１及び第２ハウジング１１１からの抜けが防止される。
【０１０３】
さらに、第１端子６１は、本体部６３から延出し、第１ハウジング１１に掛止可能なランス部６７を備える。また、第２端子１６１は、本体部１６３から延出し、第２ハウジング１１１に掛止可能なランス部１６７を備える。
【０１０４】
これにより、ランス部６７及び１６７が第１ハウジング１１及び第２ハウジング１１１に掛止されるので、第１端子６１及び第２端子１６１の第１ハウジング１１及び第２ハウジング１１１からの抜けが防止される。
【０１０５】
さらに、第１ハウジング１１は、本体部６３に対応する位置に形成され、第１端子収容孔１３の上面から第１ハウジング１１の上面に連通するランス収容開口１７及び第１端子収容孔１３の下面から第１ハウジング１１の下面に連通するランス調整開口１８を備え、ランス部６７の自由端６７ａは、ランス収容開口１７の端面に掛止される。また、第２ハウジング１１１は、本体部１６３に対応する位置に形成され、第２端子収容孔１１３の上面から第２ハウジング１１１の上面に連通するランス収容開口１１７及び第２端子収容孔１１３の下面から第２ハウジング１１１の下面に連通するランス調整開口１１８を備え、ランス部１６７の自由端１６７ａは、ランス収容開口１１７の端面に掛止される。
【０１０６】
これにより、ランス部６７及び１６７を押上げ又は押下げることができ、自由端６７ａ及び１６７ａの上下方向の位置を調整して、自由端６７ａ及び１６７ａがランス収容開口１７及び１１７の端面に確実に掛止されるようにすることができる。
【０１０７】
さらに、腕部６４及び１６４は、第１端子６１及び第２端子１６１の中心軸に対してオフセットされている。これにより、第１端子６１及び第２端子１６１に回転モーメントが作用する。そのため、アンカー部６６及び１６６の第１端子収容孔１３及び第２端子収容孔１１３の側壁への喰込みが強くなり、第１端子６１及び第２端子１６１の第１ハウジング１１及び第２ハウジング１１１からの抜けがより確実に防止される。
【０１０８】
なお、本発明は前記実施の形態に限定されるものではなく、本発明の趣旨に基づいて種々変形させることが可能であり、それらを本発明の範囲から排除するものではない。
【図面の簡単な説明】
【０１０９】
【図１】本発明の実施の形態における第１コネクタの斜視図であり、（ａ）ははんだ付前の状態を示す図、（ｂ）ははんだ付後の状態を示す図である。
【図２】本発明の実施の形態におけるコネクタの斜視図であり第１コネクタ及び第２コネクタを嵌合する状態を示す図である。
【図３】本発明の実施の形態における第１ハウジングの斜視図である。
【図４】本発明の実施の形態における第１ハウジングの二面図であり、（ａ）は背面図、（ｂ）は上面図である。
【図５】本発明の実施の形態における第１ハウジングの断面図であり、（ａ）は図４（ｂ）におけるＡ−Ａ矢視断面図、（ｂ）は図４（ａ）におけるＢ−Ｂ矢視断面図である。
【図６】本発明の実施の形態における第１端子の斜視図である。
【図７】本発明の実施の形態における第１端子の二面図であり、（ａ）は上面図、（ｂ）は（ａ）におけるＣ−Ｃ矢視断面図である。
【図８】本発明の実施の形態における第１コネクタの三面図であり、（ａ）は背面図、（ｂ）は上面図、（ｃ）は側面図である。
【図９】本発明の実施の形態における第１コネクタの二面図であり、（ａ）は正面図、（ｂ）は下面図である。
【図１０】本発明の実施の形態における第１コネクタの断面図であり、（ａ）は図８（ｃ）におけるＥ−Ｅ矢視断面図、（ｂ）は図８（ｂ）におけるＤ−Ｄ矢視断面図である。
【図１１】本発明の実施の形態における第１コネクタの上面図である。
【図１２】本発明の実施の形態における第２ハウジングの二面図であり、（ａ）は背面図、（ｂ）は上面図である。
【図１３】本発明の実施の形態における第２ハウジングの断面図であり、（ａ）は図１２（ｂ）におけるＦ−Ｆ矢視断面図、（ｂ）は図１２（ａ）におけるＧ−Ｇ矢視断面図である。
【図１４】本発明の実施の形態における第２端子の斜視図である。
【図１５】本発明の実施の形態における第１端子の二面図であり、（ａ）は上面図、（ｂ）は（ａ）におけるＨ−Ｈ矢視断面図である。
【図１６】本発明の実施の形態における第２コネクタの三面図であり、（ａ）は背面図、（ｂ）は上面図、（ｃ）は側面図である。
【図１７】本発明の実施の形態における第２コネクタの二面図であり、（ａ）は正面図、（ｂ）は下面図である。
【図１８】本発明の実施の形態における第２コネクタの断面図であり、（ａ）は図１６（ｃ）におけるＪ−Ｊ矢視断面図、（ｂ）は図１６（ｂ）におけるＩ−Ｉ矢視断面図である。
【図１９】本発明の実施の形態における第２コネクタの斜視図であり、（ａ）ははんだ付前の状態を示す図、（ｂ）ははんだ付後の状態を示す図である。
【図２０】本発明の実施の形態における第２コネクタの上面図である。
【図２１】従来の電気コネクタの端子の終端部を示す斜視図である。
【符号の説明】
【０１１０】
１    第１コネクタ
１１    第１ハウジング
１２    第１本体部
１３    第１端子収容孔
１３ａ    第２端子収容溝
１４、１１４    電線接続部
１４ａ、１１４ａ    凹部
１５    第１端子テール部収容溝
１５ａ、１１５ａ    溝本体部
１５ｂ、１１５ｂ    テール上側支持壁
１５ｃ、１１５ｃ    補助溝
１５ｄ、１１５ｄ    テール下側支持壁
１５ｅ、１１５ｅ    アンカー凹部
１７、１１７    ランス収容開口
１７ａ、１１７ａ    ランス掛止面
１８、１１８    ランス調整開口
２１    第１嵌合部
２４ａ    第１係止突起
２４ｂ    第２係止突起
６１    第１端子
６２、１６２    テール部
６２ａ、１６２ａ    上面
６３、１６３、８０１    本体部
６４、１６４    腕部
６４ａ    第１腕部
６４ｂ    第２腕部
６５ａ    第１接触部
６５ｂ    第２接触部
６６ａ、１６６ａ    第１アンカー部
６６ｂ、１６６ｂ    第２アンカー部
６６ｃ、１６６ｃ    第３アンカー部
６７、１６７    ランス部
６７ａ、１６７ａ    自由端
６７ｂ、１６７ｂ    曲げ部
６８、１６８    打抜き跡開口
９１、１９１    電線
９２、１９２    芯金
９３、１９３    はんだ接合部
９３ａ、１９３ａ    はんだ凸部
１０１    第２コネクタ
１１１    第２ハウジング
１１２    第２本体部
１１３    第２端子収容孔
１１５    第２端子テール部収容溝
１２１    第２嵌合部
１２１ａ    第１嵌合部収容部
１２４ａ    第１係止凹部
１２４ｂ    第２係止凹部
１６１    第２端子
８１１    ハウジング
８１２    底板部
８１３    収容凹部
８１４    突起
８５１    端子
８５２    はんだ付部
８５４    接触部
８５６    はんだ溜め部
【図１】
2009266609.tif 000003
【図２】
2009266609.tif 000004
【図３】
2009266609.tif 000005
【図４】
2009266609.tif 000006
【図５】
2009266609.tif 000007
【図６】
2009266609.tif 000008
【図７】
2009266609.tif 000009
【図８】
2009266609.tif 000010
【図９】
2009266609.tif 000011
【図１０】
2009266609.tif 000012
【図１１】
2009266609.tif 000013
【図１２】
2009266609.tif 000014
【図１３】
2009266609.tif 000015
【図１４】
2009266609.tif 000016
【図１５】
2009266609.tif 000017
【図１６】
2009266609.tif 000018
【図１７】
2009266609.tif 000019
【図１８】
2009266609.tif 000020
【図１９】
2009266609.tif 000021
【図２０】
2009266609.tif 000022
【図２１】
2009266609.tif 000023